(57)【要約】【課題】不陸天端を有する基礎スラブ上の土台レベル調整装置及び土台レベル調整方法において、微調整や高精度な調整を容易かつ短時間で行え、低コスト化を図る。【解決手段】横架木１２に固定される鍔部１３ａから立設され雌ねじが形成された筒部１３ｂを有する固定部材１３と、基礎スラブ上に当接される鍔部１４ａから立設され雌ねじに螺合する雄ねじが形成され、雄ねじ先端にねじ回転用の係合溝１４ｄが設けられた柱部１４ｂを有する可動部材１４とを備え、固定部材１３を横架木１２に固定し、雌ねじ内に可動部材１４の雄ねじを螺合させる。可動部材１４を回転させることにより、鍔部１４ａが基礎スラブ天端に当接して土台を持ち上げる。【選択図】  図２
2004197514.tif 000002
【特許請求の範囲】
【請求項１】
不陸天端を有する基礎スラブ上に載置される横架木からなる土台のレベル調整を行うための土台レベル調整装置であって、
前記横架木の下面近傍に回転止め固定される鍔部と、この鍔部から立設され内壁面に雌ねじが形成された筒部とを有する固定部材と、
下面が前記基礎スラブ上に当接される鍔部と、この鍔部から立設され外壁面に前記雌ねじに螺合する雄ねじが形成され、この雄ねじ先端にねじ回転用の係合溝が設けられた柱部とを有する可動部材とを備え、
前記横架木に設けた上下貫通孔に下方から前記固定部材の筒部を挿入して鍔部を横架木に固定するとともに、その下方から前記雌ねじ内に前記可動部材の柱部の雄ねじを螺合させた状態とし、前記係合溝を用いて可動部材を回転させることにより可動部材を上下動させることを特徴とする土台レベル調整装置。
【請求項２】
前記固定部材の鍔部には、前記横架木への止め釘を挿通させる孔が設けられ、
前記可動部材の鍔部には、前記止め釘用の孔に対応する位置に該孔よりも大きな径の孔が設けられていることを特徴とする請求項１に記載の土台レベル調整装置。
【請求項３】
不陸天端を有する基礎スラブ上に載置される横架木からなる土台のレベル調整を行う土台レベル調整方法において、
鍔部と、この鍔部から立設され内壁面に雌ねじが形成された筒部とを有する固定部材と、
鍔部と、この鍔部から立設され外壁面に前記雌ねじに螺合する雄ねじが形成され、この雄ねじ先端にねじ回転用の係合溝が設けられた柱部とを有する可動部材とを用い、
前記横架木には、上下貫通孔及びその下面側に座繰り孔が形成されており、
前記固定部材と前記可動部材とは、筒部の雌ねじに柱部の雄ねじを螺合させることにより両鍔部同士が重ね合わされるかたちで結合状態とされ、
前記横架木の上下貫通孔に下方から前記固定部材の筒部を挿通させ、かつ座繰り孔内に鍔部を埋設し、回転止め固定する工程と、
この結合状態の固定部材と可動部材を横架木に装着した土台を基礎スラブ上に配置する工程と、
前記土台の上面側から前記可動部材のねじ回転用の係合溝を介して該可動部材を回転させることにより、基礎スラブ天端に該可動部材の鍔部を突接させて土台を持ち上げてレベルを調整する工程と
を有することを特徴とする土台レベル調整方法。
【発明の詳細な説明】
【０００１】
【発明の属する技術分野】
本発明は、不陸天端を有する基礎スラブ上の土台レベル調整装置及び土台レベル調整方法に関する。
【０００２】
【従来の技術】
従来、不陸天端を有する基礎スラブ上の土台レベル調整には、例えば、図６（ａ）（ｂ）に示すように、基礎スラブ１の上面高さレベルが下がっているところと土台２との間に、別途形成した介在部材３，４を挿し込み、かつ、介在部材の挿し込まれていない空間にモルタルを充填することが行われていた。
【０００３】
【発明が解決しようとする課題】
ところが、上述した従来のような土台レベル調整の構成乃至方法は、微調整するには多種類の介在部材が現場で必要となり、作業が煩わしく、そのため、精度の良いレベル調整には、長い時間や熟練度を要し、コスト高となっていた。
【０００４】
本発明は、上記問題を解消するものであり、熟練度を要することなく、微調整や高精度な調整を容易かつ短時間で行え、低コスト化が図れる、基礎スラブ上の土台レベル調整装置及び土台レベル調整方法を提供することを目的とする。
【０００５】
【課題を解決するための手段及び発明の効果】
上記目的を達成するために本発明は、不陸天端を有する基礎スラブ上に載置される横架木からなる土台のレベル調整を行うための土台レベル調整装置であって、前記横架木の下面近傍に回転止め固定される鍔部と、この鍔部から立設され内壁面に雌ねじが形成された筒部とを有する固定部材と、
下面が前記基礎スラブ上に当接される鍔部と、この鍔部から立設され外壁面に前記雌ねじに螺合する雄ねじが形成され、この雄ねじ先端にねじ回転用の係合溝が設けられた柱部とを有する可動部材とを備え、
前記横架木に設けた上下貫通孔に下方から前記固定部材の筒部を挿入して鍔部を横架木に固定するとともに、その下方から前記雌ねじ内に前記可動部材の柱部の雄ねじを螺合させた状態とし、前記係合溝を用いて可動部材を回転させることにより可動部材を上下動させるものである。
【０００６】
本発明の土台レベル調整装置においては、同装置の固定部材及び可動部材を予め横架木に装着しておき、その横架木を基礎スラブ天端に載置した状態で、可動部材の係合溝を用いて可動部材を回転させることにより可動部材が上下動し、その鍔部が基礎スラブ天端に当接する。これにより、基礎スラブが不陸天端となっていて、その上に載置した横架木からなる土台と基礎スラブ上面との間に隙間が生じていても、容易に不陸天端の基礎スラブに対して土台を持ち上げることができる。従って、熟練度を要することなく、精度の良いレベル調整を短時間で低コストに行うことができる。
【０００７】
また、上記において、固定部材の鍔部には、横架木への止め釘を挿通させる孔が設けられ、可動部材の鍔部には、止め釘用の孔に対応する位置に該孔よりも大きな径の孔が設けられているものとしてもよい。この構成においては、固定部材と可動部材とを結合させ、固定部材の止め釘挿通孔と可動部材の孔とを合致させた状態とすることで、これら孔に止め釘を通して固定部材を横架木へ固定することができる。これにより、予め固定部材と可動部材とを横架木へ固定した状態としておくことで、現場における土台のレベル調整作業を迅速に行うことができる。
【０００８】
本発明は、不陸天端を有する基礎スラブ上に載置される横架木からなる土台のレベル調整を行う土台レベル調整方法において、
鍔部と、この鍔部から立設され内壁面に雌ねじが形成された筒部とを有する固定部材と、
鍔部と、この鍔部から立設され外壁面に前記雌ねじに螺合する雄ねじが形成され、この雄ねじ先端にねじ回転用の係合溝が設けられた柱部とを有する可動部材とを用い、
前記横架木には、上下貫通孔及びその下面側に座繰り孔が形成されており、
前記固定部材と前記可動部材とは、筒部の雌ねじに柱部の雄ねじを螺合させることにより両鍔部同士が重ね合わされるかたちで結合状態とされ、
前記横架木の上下貫通孔に下方から前記固定部材の筒部を挿通させ、かつ座繰り孔内に鍔部を埋設し、回転止め固定する工程と、
この結合状態の固定部材と可動部材を横架木に装着した土台を基礎スラブ上に配置する工程と、
前記土台の上面側から前記可動部材のねじ回転用の係合溝を介して該可動部材を回転させることにより、基礎スラブ天端に該可動部材の鍔部を突接させて土台を持ち上げてレベルを調整する工程とを有するものである。
【０００９】
本発明の方法においては、固定部材と可動部材を装着した横架木を基礎スラブ天端に載置した状態のまま、現場での簡単な作業により容易に精度の良いレベル調整を行うことができる。
【００１０】
【発明の実施の形態】
以下、本発明を具体化した実施形態について図面を参照して説明する。図１（ａ）（ｂ）は土台レベル調整装置の可動部材、（ｃ）（ｄ）は土台レベル調整装置の固定部材を示し、図２は同調整装置を横架木からなる土台に装着した状態を示し、図３は同調整装置を装着した横架木が基礎スラブ上に載置された状態を示す。このレベル調整装置１１は、基礎スラブが不陸天端を有する場合に、基礎スラブ上に載置される横架木（土台）１２の水平レベルを調整するためのものであり、横架木１２に固定される固定部材１３と、この固定部材１３に螺合結合され、高さ調整に供される可動部材１４とから成る。
【００１１】
まず、土台レベル調整装置１１の固定部材１３及び可動部材１４について説明する。固定部材１３及び可動部材１４は機械的強度の高い金属材料で構成されている。固定部材１３は、図１（ｃ）（ｄ）に示されるように、横架木へ回転止め固定される鍔部１３ａと、この鍔部１３ａから立設された筒部１３ｂとから成り、筒部１３ｂの内壁面には雌ねじ１３ｃが形成されている。鍔部１３ａは横架木の幅よりも小さな径の円板形とされ、横架木への止め釘が挿通される孔１３ｅが複数個、円周方向に分散して設けられている。
【００１２】
可動部材１４は、図１（ａ）（ｂ）に示されるように、下面が基礎スラブ天端に当接される鍔部１４ａと、この鍔部１４ａから立設された柱部１４ｂとから成り、柱部１４ｂの外壁面には上記雌ねじ１３ｃに螺合する雄ねじ１４ｃが形成され、この雄ねじ先端にねじ回転用の係合溝１４ｄが設けられている。鍔部１４ａは横架木の幅よりも小さな径の円板形とされ、孔１４ｅが複数個円周方向に分散して設けられている。この孔１４ｅは、上記固定部材１３の鍔部１３ａに設けられた孔１３ｅに対応する位置にあり、孔１３ｅよりも大きい径を持つ。かくして、可動部材１４は、高さ調整用キャスターにおけるレベル調整ボルトに、固定部材１３は調整ナットにそれぞれ相当する形態になっている。
【００１３】
次に、土台レベル調整装置１１の横架木１２への取付構成について説明する。図２に示されるように、横架木１２には、同調整装置１１を取り付けるための孔が形成されている。この取付孔としては、上下貫通孔１５と、この上下貫通孔１５の下面側に形成された座繰り孔１６、及び上面側に形成された座繰り孔１７がある。固定部材１３及び可動部材１４は、予め、固定部材１３の筒部１３ｂの雌ねじ１３ｃ内に、その下方から可動部材１４の柱部１４ｂの雄ねじ１４ｃを螺合させて、両鍔部１３ａ，１４ａ同士が重ね合わされるかたちで結合状態とされる。この状態の固定部材１３及び可動部材１４は、横架木１２の上下貫通孔１５内に下方から筒部１３ｂが挿入され、鍔部１３ａが横架木１２の座繰り孔１６内に固定される。
【００１４】
このとき、鍔部１３ａ，１４ａは座繰り孔１６内に入り込むので、レベル調整を行わないときに、調整装置１１が横架木１２の下面に突出して邪魔になるようなことがない。また、固定部材１３の止め釘挿通孔１３ｅと可動部材１４の孔１４ｅとを合致させた状態とし、これら孔を通して止め釘１８を横架木１２に打ち込むことにより、固定部材１３を横架木１２に固定することができる。なお、可動部材１４の孔１４ｅの径は、止め釘１８の頭部が挿通しうる大きさとする。
【００１５】
次に、土台レベル調整方法について図３を加えて説明する。基礎スラブ２１には予め横架木１２を固定するためのアンカーボルト２２が立設されており、このアンカーボルト２２に対応して横架木１２にはボルト挿通孔が形成されている。土台レベル調整装置１１は、例えば、９０×９０ｍｍの横架木１２に、例えば、１．０〜１．２ｍ間隔で予め設けられている。横架木１２への土台レベル調整装置１１の装着は、工場等で予め加工しておくことが望ましい。このように施工された横架木１２は、現場において基礎スラブ２１の天端に配置されて土台となり、アンカーボルト２２により仮固定される。そのとき、基礎スラブ２１が不陸天端となっていて、水平に載置されるべき横架木１２と基礎スラブ２１上面との間に隙間が生じる場合にレベル調整を行う。なお、可動部材１４としては、柱部１４ｂの高さ寸法が横架木１２の高さ寸法と同程度のものを用いればよく、また、固定部材１３としては、筒部１３ｂの高さ寸法が柱部１４ｂの１／２乃至１／３程度のものを用いればよい。
【００１６】
レベル調整は、可動部材１４の係合溝１４ｄにねじ回し等の工具を係合させて可動部材１４を回転させることにより行う。これにより、可動部材１４は下方に移動し、その鍔部１４ａが基礎スラブ２１の天端に当接し、基礎スラブ２１に対して土台を持ち上げるようになる。これにより、基礎スラブ２１が不陸天端となっていても、容易かつ短時間で精度の良いレベル調整を行うことができる。従って、レベル調整は、熟練度を要することもなく低コストに行うことができる。なお、従来一般の高さ調整用キャスターは、高さ調整のために下側面でねじを回す形態であるため、本発明のような基礎スラブ上での土台レベル調整には使用不能である。
【００１７】
こうしてレベル調整を行った後の処理として、横架木１２と基礎スラブ２１上面との隙間に、モルタル等の無機質系充填材を補充する。充填材の補充は、例えば、図４に示すように、塩化ビニール等の袋容器２５内で水と混練させた充填材を吐出用開口より必要部位に押し出すことで、行うことができる。袋容器２５の内部には、予め区画して充填材と水とが封入されており、作業直前に作業者が外部から圧力をかけて区画を破断することで、袋容器２５内で充填材と水とを混練させる。充填材は水と混練されると時間経過とともに硬化する。このような充填を行うことで、横架木１２と基礎スラブ２１上面との間に空間がなくなり、両者は面的に接するので、耐震強度が高くなる。
【００１８】
上記のような土台レベル調整方法の全体工程について図５を加えて以下に説明する。土台レベル調整工程では、まず、土台にレベル調整装置取付孔を形成し（Ｓ１１）、レベル調整装置１１を取付孔に釘止め固定し（Ｓ１２）、その後、土台を基礎スラブ２１上に配置する（Ｓ１３）。その後、可動部材１４のねじを回転して土台レベル調整を行い（Ｓ１４）、最期に、隙間に充填材を補充する（Ｓ１５）。
【００１９】
本発明は、上記実施例の構成に限られることなく、発明の趣旨を変更しない範囲で種々の変形が可能である。例えば、上記実施形態では、固定部材１３の横架木１２への固定に止め釘１８を用いる場合を示したが、止め釘を用いなくとも、固定部材１３に横架木１２との係合爪を設けた構成など、固定部材１３が横架木１２に対して回転止め固定できる構成としてもよい。
【図面の簡単な説明】
【図１】（ａ）は土台レベル調整装置の可動部材の平面図、（ｂ）は（ａ）のＡ−Ａ線断面図、（ｃ）は土台レベル調整装置の固定部材の平面図、（ｄ）は（ｃ）のＢ−Ｂ線断面図。
【図２】同調整装置を横架木からなる土台に装着した状態を示す断面図。
【図３】同調整装置を装着した横架木が基礎スラブ上に載置された状態を示す断面図。
【図４】横架木と基礎スラブ上面との隙間に充填材を補充する方法を示す斜視図。
【図５】土台レベル調整方法の全体工程を示すフロー図。
【図６】（ａ）（ｂ）は従来の土台レベル調整方法を示す正面断面図及び斜視図。
【符号の説明】
１１    レベル調整装置
１２    横架木（土台）
１３    固定部材
１３ａ    鍔部
１３ｂ    筒部
１３ｃ    雌ねじ
１３ｅ    止め釘が挿通される孔
１４    可動部材
１４ａ    鍔部
１４ｂ    柱部
１４ｃ    雄ねじ
１４ｄ    係合溝
１４ｅ    孔
１５    上下貫通孔
１６    座繰り孔
１８    止め釘
２１    基礎スラブ
【図１】
2004197514.tif 000003
【図２】
2004197514.tif 000004
【図３】
2004197514.tif 000005
【図４】
2004197514.tif 000006
【図５】
2004197514.tif 000007
【図６】
2004197514.tif 000008